(57)【特許請求の範囲】
【請求項１】
人の通路を形成するための仕切り体を備えており、前記仕切り体のうち前記通路の通行方向と同じ方向から見て前端部又は後端部若しくは前後両端部に、人が視認可能な点灯式の進入案内部を設けており、前記進入案内部は、前記通路の通行方向と同じ方向から見て前記仕切り体の縦長中心線を挟んだ左右２つに分離しており、前記左右の進入案内部は、それぞれ独立して点灯可能になっていると共に、前記通路の通行方向と対向した前側及び前記通路の側に面している構成であって、
前記仕切り体の前端部と後端部とは前面が平坦なフロント部で構成されており、前記フロント部の上部に、当該フロント部と同じ外形で前記左右の進入案内部が形成されている一方、
前記仕切り体には当該仕切り体の長手方向に延びる透明又は不透明の板材が上向きに突設されており、前記板材の前部と後部とが人の通行の可否を点灯によって表示する通行確認部になっている、
ゲート装置。
【発明の詳細な説明】
【技術分野】
【０００１】
本願発明は、各種施設やイベント会場などに設置するゲート装置に関するものである。
【背景技術】
【０００２】
ゲート装置は、例えば、許可された特定の人だけの通行を可能とするため、或いは、単に通行可能状態と通行不能状態とに切り換えるために使用されており、前者の例としては駅等の自動改札機や有料会場の入場ゲートが挙げられる。前者の場合は、確認手段として磁気方式やＩＣ方式のカードやチケットが使用されている。
【０００３】
ゲート装置は、平面視で細長い仕切り体に水平回動（旋回）式のゲート（扉）を備えたゲートユニットを備えており、ゲートユニットを複数個並設して隣り合ったゲートユニットの間を通路と成し、この通路をゲートの水平回動によって開閉しているが、通路の開閉とゲートとの関係から見た場合、１つの通路の開閉を１つのゲートのみで行う片開きタイプと、例えば特許文献１，２に記載されているように、隣り合った２つのゲートユニットに設けた２つのゲートを同時に回動させることで１つの通路の開閉を行う観音開きタイプとがある。
【０００４】
また、仕切り体に対するゲートの配置場所から見ると、仕切り体の端部（一般に前後両端部）にゲートを取り付けたエンドタイプと、仕切り体の前後中間部にゲートを取り付けたセンタータイプとに大別される。特許文献１は前者の構成になっており、特許文献２は後者の構成になっている。
【０００５】
さて、この種のゲート装置では、人が通行できる方向を切り換えたり、或いは、通行そのものができる状態とできない状態とに切り換えできるようになっている。従って、ゲート装置には、通行可能であるか否かやどのゲート装置を通行できるかということを視覚的に把握せしめるための進入案内部を設けている。そして、従来のゲート装置では、進入案内部は、ゲート装置を構成する仕切り体の前後両面に一つだけ設けており、赤と青との色彩を切り換えたり、或いは、○と×との印を点灯させたりしている。
【特許文献１】特許第２６８７０６９号公報
【特許文献２】特許第３６１７１２７号公報
【発明の開示】
【発明が解決しようとする課題】
【０００６】
一般に、カードやチケット（切符）を読み取るリーダーは通路の右側に配置された仕切り体に設けており、そこで、進入案内部も通路の右側に位置した仕切り体のものを点灯させているが、多数の仕切り体が並設されている場合など、どの通路を通行可能であるか分かりにくい場合がある。
【０００７】
また、仕切り体の前後両側にそれぞれゲートを設けている場合は、入り口の手前のゲートが開いている状態や閉じている状態を視認することで通行可能か否かを判断しやすいが、ゲートが仕切り体の前後略中間部に配置されている場合はゲートの開閉状態を遠くから（特に斜め方向から）は視認し難く、また、そもそもゲートが閉じていると通行できるのか否かさえ判断できない。従って、仕切り体の略中間部にゲートを設けているタイプのゲート装置では、通行可能であるか否かを特に視認し難いといえる。
【０００８】
本願発明は、このような現状を改善することを課題としている。
【課題を解決するための手段】
【０００９】
本願発明のゲート装置は、人の通路を形成するための仕切り体を備えており、前記仕切り体のうち前記通路の通行方向と同じ方向から見て前端部又は後端部若しくは前後両端部に、人が視認可能な点灯式の進入案内部を設けており、前記進入案内部は、前記通路の通行方向と同じ方向から見て前記仕切り体の縦長中心線を挟んだ左右２つに分離しており、前記左右の進入案内部は、それぞれ独立して点灯可能になっていると共に、前記通路の通行方向と対向した前側及び前記通路の側に面している。
【００１０】
更に、前記仕切り体の前端部と後端部とは前面が平坦なフロント部で構成されており、前記フロント部の上部に、当該フロント部と同じ外形で前記左右の進入案内部が形成されている一方、前記仕切り体には当該仕切り体の長手方向に延びる透明又は不透明の板材が上向きに突設されており、前記板材の前部と後部とが人の通行の可否を点灯によって表示する通行確認部になっている。
【発明の効果】
【００１１】
本願発明では、仕切り体における左右進入案内部のうち右側に位置した進入案内部は仕切り体の右側の通路に面する一方、左側に位置した進入案内部は仕切り体の左側の通路に面することにより、仕切り体における２つの進入案内部と２つの通路との対応関係が視覚的に明確になるため、通路を通行しようとする人は、どの通路が通行可能であるか否かを遠くからでも瞬時に把握できる。このため、人を通行可能な通路にスムースに導いたり、通行不能であることを人に早い段階で知らしめて不愉快な思いをさせないことができる。
【発明を実施するための最良の形態】
【００１２】
次に、本願発明の実施形態を図面に基づいて説明する。
【００１３】
(1).実施形態の概略
図１はゲート装置群の全体の概略斜視図、図２はゲート装置群の全体の平面図であり、ゲート装置群は、平面視で細長い仕切り体１を有するゲートユニット２，３の複数個で構成されており、複数のゲートユニット２，３を並列配置することにより、隣り合ったゲートユニット２，３の間に１人の人が通行できる通路４が形成されている。以下の説明では「前後」「左右」の文言を使用するが、この前後・左右は、通路４を通行する人の姿勢（向き）を基準にしている。
【００１４】
隣り合った２つのゲートユニット２，３によって単位ゲート装置５が構成されている。また、左右に隣り合った単位ゲート装置５は、１つのゲートユニット３を共用している。
【００１５】
ゲート装置群の両端を構成するゲートユニットは符号２を付してエンドゲートユニット２と称し、エンドゲートユニット２の間に配置されたゲートユニットは符号３を付して中間ゲートユニット３と称する。両者を特に区別する必要がない場合は、単にゲートユニット２，３としていう。
【００１６】
各ゲートユニット２，３は、仕切り体１の左右広幅面の箇所に通路４を開閉するためのゲート６を水平回動自在に取り付けているが、中間ゲートユニット３はその両側に通路４が存在するため、仕切り体１の左右広幅面にそれぞれ一対のゲート６を取り付けている一方、エンドゲートユニット２では、通路４に面した片面だけにゲート６を取り付けている。各ゲートユニット２，３は基本的には同じ形態・構造であり、エンドゲートユニット２においても左右両広幅面の箇所にゲート６を取り付けておくことは可能である（通路４と反対側のゲート６を使用しなければよい。）。
【００１７】
各ゲートユニット２，３の仕切り体１は、カバー板７で覆われて中空状に構成されており、前後両端部を構成するフロント部８の上部に、進入可能か否かを視覚的に表示する進入案内部９を設け、更に、進入案内部９の上方にはカードリーダ１０を設けている。前後カードリーダ１０は上方に突出した形態になっており、前後カードリーダ１０の間には透明又は不透明の板材１１を配置し、その前後両側の部分を点灯式の通行確認部１１ａ，１１ｂとなしている。
【００１８】
通行確認部１１ａ，１１ｂは通行の可否（適否）を表示するものであって赤やブルー、紫等の任意の色に発光可能になっており、例えば、カードが不適正であったりカードを使用せずに通行しようとした場合に点灯するように設定している。敢えて述べるまでもないが、カードリーダ１０は使用されるカードの方式に応じて接触式又は非接触式が採用できる（勿論両者を併設してもよい。）。
【００１９】
フロント部８は平断面視で前後外側に向けて左右間隔が狭くなる台形状に形成されており、進入案内部９はフロント部８の縦長中心線を挟んで左右に分離されており、前面のみでなく、通路４に入り込んだ（通路４に向いた）面まで広がっている。左右の進入案内部９は内蔵した灯具により、例えば青（ブルー又はグリーン）と赤とにそれぞれ独立して選択的に点灯させることができ、通行しようとする人に、その案内表示部９が面した通路４が通行可能であるか否かを視認させることができる。
【００２０】
仕切り体１の左右両広幅面の箇所は、前後フロント部８の間において内向きに凹んだ側面視矩形の凹所１２になっており、ゲート６は、人が通路４を通行できるように開いた（退避した）状態で凹所１２の内部に入り込むようになっている。なお、凹所１２の前後幅寸法や上下幅寸法は、ゲート６の大きさに応じて任意に設定できる。
【００２１】
ゲート６は、凹所１２の前後略中間部に配置した回転軸１３に取り付けられて水平回動自在となっている。ゲート６は人の進行方向の前方側に向けて回動するが、ゲート６は、通路開き姿勢（退避姿勢）で回転軸１３の前方と後方とのいずれの方向にも配置されるように回動可能であり、従って、仕切り体１の片面に１のゲート６を備えているタイプでありながら、通路４はいずれの方向にも通行可能である。
【００２２】
そして、中間ゲートユニット３においては、図２に示すように、左右ゲート６の回転軸１３は、仕切り体１を前後に分断する横長中心線１４を挟んだ両側にずらして配置されている。左右ゲート６を前後にずらした寸法はゲート６の厚さよりも大きい寸法に設定しており、従って、単位ゲート装置５において、左右のゲート６で通路４を仕切った閉じ状態では、左右ゲート６の先端面は互いに対向することなく前後方向にずれている。換言すると、閉じ状態において左右ゲート６の先端部の間に適宜間隔Ｅの隙間が空いている。
【００２３】
(2).ゲートの取り付け構造
次に、ゲート６の取り付け構造の詳細を図３〜図６に基づいて説明する。図３は中間ゲートユニット３の側面図、図４はゲート装置群の正面図、図５のうち（Ａ）は一部破断側面図、（Ｂ）は図６（Ａ）の VB-VB視断面図、図６のうち（Ａ）は図５（Ａ）の VIA-VIA視断面図、（Ｂ）は（Ａ）の部分拡大図である。
【００２４】
ゲート６は例えば合成樹脂製で略矩形に形成されており、回転軸１３にはビス止めやキー係合等の手段で相対回転不能に固定されている。ゲート６には多数の穴が空いているが、これは、開閉に際しての空気抵抗を抑制することを１つの目的としている。敢えて述べるまでもないが、ゲート６は例えば先端部を半円状に形成するなど任意の形態を採用することができ、また、格子状に形成したり単なるフレーム状に形成することも可能である。
【００２５】
図３に簡単に示すように、仕切り体１はその骨組みを構成する上下の基枠１６，１７を備えており、図５（Ａ）に示すように、回転軸１３は、上基枠１６に固定した上ベース１８と、下基枠１７（図３参照）に固定された第１ブラケット１９に固定された下ベース２０とに回転自在に取り付けられている。第１ブラケット１９は第２ブラケット１９ａを介して下基枠１７に固定されており、回転軸１３は、第２ブラケット１９ａに固定したモータ２１の主軸に継手（カップリング）２２を介して直結されている。
【００２６】
中間ゲートユニット３では回転軸１３及びモータ２１は左右に２個ずつ存在しているが、左右の回転軸１３及びモータ２１は前後方向にずれている。
【００２７】
回転軸１３の上部は上ベース１８の上方に突出しており、この上向き突出部に、回転位置保持用カム２３と回転位置検出用の３段式ドグ２４とを相対回転不能に固定しており、更に、上端部はロータリーエンコーダ２５の検出軸に接続されている。ロータリーエンコーダ２５は、上基枠１６に固定された第３ブラケット２６に固定されている。
【００２８】
また、上基枠１６の上面には、ドグ２４の外周面に当接する接触子（図示せず）を有する．段式のリミットスイッチ２７が固定されている。リミットスイッチ２７は、ドグ２４の回転により、ゲート６の通路閉じ姿勢（通路４を横切っている姿勢）と、通路開き姿勢（退避姿勢）とを検出するもので、リミットスイッチ２７によってモータ２１を制御する。また、ロータリーエンコーダ２５は一種の非常用停止手段であり、リミットスイッチ２７が機能を阻害した場合は、ロータリーエンコーダ２５で検出した回転軸１３の回転度に基づいてモータ２１を停止させるようになっている。
【００２９】
カム２３は円形の周面カムであり、その外周面に形成した円弧状の嵌合部２８，２９にローラ３１が嵌まることで、ゲート６の姿勢を選択的に保持するようになっている。
【００３０】
すなわち、ローラ３１は、上基枠１６に設けた枢支軸３２に水平回動自在に取り付けられたアーム３３の横向き張り出し部３３ａに水平回転自在に取り付けられており、上基枠１６に固定した第４ブラケット３４とアーム３３とに装架した引っ張りばね３５とにより、ローラ３１はカム２３の外周面に弾性的に当接するように付勢されている一方、カム２３の外周面に、ゲート６が通路４を横切っている通路閉じ姿勢のときにローラ３１が嵌まる第１嵌合部２８と、ゲート６が仕切り体１の凹所１２に入り込んだ通路開き姿勢（退避姿勢）になるとローラ３１が嵌まる２個の第２嵌合部２９とを形成することにより、ゲート６が通路閉じ姿勢と前向き又は後ろ向きの通路開き姿勢とのいずれかに選択的に保持されるようになっている。
【００３１】
ゲート６は通路閉じ姿勢を挟んだ両側に９０度ずつ回動するので、第１嵌合部２８と両第２嵌合部２９との周方向の間隔は９０度ずつになっている。また、ローラ２３が取り付いているアーム３３は、スペース効率の点から前後横長に配置されている。
【００３２】
また、敢えて述べるまでもないが、左右の回転軸１３及びモータ２１は、仕切り体１を前後に分断する横長中心線１４を挟んだ前後対称の位置で、かつ、仕切り体１を左右に分断する縦長中心線３６を挟んだ左右対称の位置に配置されている。回転軸１３とモータ２１を前後にずらしていることにより、仕切り体１の左右横幅寸法を小さくして、スペースを有効利用できると共に、部材の使用量を少なくしてコストダウンを図ることができる。
【００３３】
回転軸１３にモータ２１の主軸やロータリーソレノイドの主軸を直結したようなアクチュェータ直結方式では構造を簡単化できる利点があるが、ギアやベルトのような電動機構を使用した場合に比べてアクチュェータの設置場所の融通性が低くなり、このため、アクチュェータを左右に併設すると仕切り体１の左右幅寸法が大きくなる。これに対して本実施形態のように構成すると、回転軸１３をモータの主軸等に直結した方式であっても、仕切り体１の左右幅寸法を大きくすることなくアクチュェータを左右に配置でき、このため、回転軸１３とアクチュェータとを直結した方式において特に有益である。
【図面の簡単な説明】
【００３８】
【図１】第１実施形態に係るゲート装置群の全体の概略斜視図である。
【図２】ゲート装置群の全体の平面図である。
【図３】中間ゲートユニットの側面図である。
【図４】ゲート装置群の正面図である。
【図５】（Ａ）はゲートユニットの一部破断側面図、（Ｂ）は図６（Ａ）の VB-VB視断面図である。
【図６】（Ａ）は図５（Ａ）の VIA-VIA視断面図、（Ｂ）は（Ａ）の部分拡大図である。
【符号の説明】
【００３９】
１  仕切り体
２  エンドゲートユニット
３  中間ゲートユニット
４  通路
５  単位ゲート装置
６  ゲート
９  進入案内部
１１ａ，１１ｂ  通行確認部
【図１】
0005122210.tif 000002
【図２】
0005122210.tif 000003
【図３】
0005122210.tif 000004
【図４】
0005122210.tif 000005
【図５】
0005122210.tif 000006
【図６】
0005122210.tif 000007